(57)【要約】無線ローカルエリアネットワーク／無線広域ネットワーク（ＷＬＡＮ／ＷＷＡＮ）の２つの局間でハンドオフを行う方法および装置。第１の局と通信している端末が、第１の局とのその接続が失われた時、またはその他の何らかの理由で、第２の局をスキャンし、第２の局との通信を確立する。第２の局との通信の確立は、第２の局が第１の局とは異なることを判定し、第２の局とのアソシエーションを行い、第１の局の識別情報を第２の局へ転送し、第１の局の識別情報を用いて第２の局を通じて元のセッションを継続することを含む。ハンドオフは、ハンドオフに関与する局が同一ネットワーク内にある場合、あるいは異なるネットワーク内にある場合のいずれでも同等に有効である。
2006521058.tif 000002
【特許請求の範囲】
【請求項１】
無線ローカルエリアネットワーク（ＷＬＡＮ）および無線広域ネットワーク（ＷＷＡＮ）のいずれかにおける第１の局と第２の局の間で無線端末をハンドオフする方法において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局との接続の喪失に応答して、前記第２の局をスキャンし、
前記第２の局から情報を取得し、
前記第２の局が前記第１の局とは異なることを判定し、
前記第２の局へアソシエーションメッセージを送信し、前記第２の局からアソシエーション成功メッセージを受信した後、ハンドオフを開始し、前記第１の局に関する情報を前記第２の局に提供し、
前記第２の局が、前記端末から受信した情報に応答して前記第１の局と連絡をとり、
前記第１の局が、前記第２の局へトラフィックを再ルーティングして前記第１の局を解放し、
前記第２の局が、前記第１の局によって開始されたハンドオフ手続きに応答して、前記端末と前記第２の局の間のセッションを再確立する
ことを特徴とする無線端末をハンドオフする方法。
【請求項２】
無線ローカルエリアネットワーク（ＷＬＡＮ）および無線広域ネットワーク（ＷＷＡＮ）のいずれかにおける第１の局と第２の局の間で無線端末をハンドオフする方法において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局との接続の喪失に応答して、前記第２の局をスキャンし、
前記第２の局に関する情報を取得し、
前記第２の局が前記第１の局とは異なることを判定し、
前記第２の局へ前記第１の局に関する情報を含むアソシエーションメッセージを送信し、
前記第２の局が、前記端末から受信した情報に応答して、前記第１の局と連絡をとって前記喪失した接続のＩＰアドレスを取得し、
前記端末が、前記喪失した接続のＩＰアドレスに対する要求に応答して該ＩＰアドレスを提供し、
前記第２の局が、前記第１の局と連絡をとって前記第１の局から前記第２の局へのハンドオフを開始し、
前記第１の局が、前記第２の局へトラフィックを再ルーティングして前記第１の局を解放し、
前記第２の局が、前記第１の局によって開始されたハンドオフ手続きに応答して、前記端末と前記第２の局の間のセッションを再確立する
ことを特徴とする無線端末をハンドオフする方法。
【請求項３】
無線ローカルエリアネットワーク（ＷＬＡＮ）および無線広域ネットワーク（ＷＷＡＮ）のいずれかにおける第１の局と第２の局の間で無線端末をハンドオフする方法において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局との接続の喪失に応答して、前記第２の局をスキャンし、
前記第２の局に関する情報を取得し、
前記第２の局が前記第１の局とは異なることを判定し、
前記第２の局へ前記第２の局に関する情報を含むアソシエーションメッセージを送信し、
前記第２の局が、前記第１の局から受信した情報に応答して、前記端末と連絡をとって前記喪失した接続のＩＰアドレスを取得し、
前記第２の局が、前記第１の局と連絡をとってハンドオフを開始し、
前記第１の局が、前記第２の局へトラフィックを再ルーティングして前記第１の局を解放し、
前記第２の局が、前記第１の局によって開始されたハンドオフ手続きに応答して、前記端末と前記第２の局の間のセッションを再確立する
ことを特徴とする無線端末をハンドオフする方法。
【請求項４】
無線ローカルエリアネットワーク（ＷＬＡＮ）および無線広域ネットワーク（ＷＷＡＮ）のいずれかにおける第１の局と第２の局の間で無線端末をハンドオフする方法において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局に接続された状態で、前記第２の局をスキャンし、
前記第２の局から情報を取得し、
前記第２の局が前記第１の局とは異なることを判定し、
前記第２の局へアソシエーションメッセージを送信し、前記第２の局からアソシエーション成功メッセージを受信した後、ハンドオフを開始し、前記第２の局に関する情報を前記第１の局に提供し、
前記第１の局が、前記端末から受信した情報に応答して前記第２の局と連絡をとり、
前記第１の局が、前記第２の局へトラフィックを再ルーティングして前記第１の局を解放し、
前記第２の局が、前記第１の局によって開始されたハンドオフ手続きに応答して、前記端末と前記第２の局の間のセッションを再確立する
ことを特徴とする無線端末をハンドオフする方法。
【請求項５】
無線ローカルエリアネットワーク（ＷＬＡＮ）および無線広域ネットワーク（ＷＷＡＮ）のいずれかにおける第１の局と第２の局の間で無線端末をハンドオフする方法において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局に接続された状態で、前記第２の局をスキャンし、
前記第２の局から情報を取得し、
前記第２の局が前記第１の局とは異なることを判定し、
前記第２の局へ前記第１の局に関する情報を含むアソシエーションメッセージを送信し、
前記第２の局が、前記端末と連絡をとって前記接続のＩＰアドレスを取得し、
前記端末が、前記接続のＩＰアドレスに対する要求に応答して該ＩＰアドレスを前記第２の局に提供し、
前記第２の局が、前記第１の局と連絡をとって前記第１の局から前記第２の局へのハンドオフを開始し、
前記第１の局が、前記第２の局へトラフィックを再ルーティングして前記第１の局を解放し、
前記第２の局が、前記第１の局によって開始されたハンドオフ手続きに応答して、前記端末と前記第２の局の間のセッションを再確立する
ことを特徴とする無線端末をハンドオフする方法。
【請求項６】
無線ローカルエリアネットワーク（ＷＬＡＮ）および無線広域ネットワーク（ＷＷＡＮ）のいずれかにおける第１の局と第２の局の間で無線端末をハンドオフする方法において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局に接続された状態で、前記第２の局をスキャンし、
前記第２の局から情報を取得し、
前記第２の局が前記第１の局とは異なることを判定し、
前記第２の局へ前記第１の局に関する情報を含むアソシエーションメッセージを送信し、
前記第２の局が、前記端末と連絡をとって前記接続のＩＰアドレスを取得し、
前記第２の局が、前記第１の局と連絡をとってハンドオフを開始し、
前記第１の局が、前記第２の局へトラフィックを再ルーティングして前記第１の局を解放し、
前記第２の局が、前記第１の局によって開始されたハンドオフ手続きに応答して、前記端末と前記第２の局の間のセッションを再確立する手段を有する
ことを特徴とする無線端末をハンドオフする方法。
【請求項７】
無線ローカルエリアネットワーク（ＷＬＡＮ）および無線広域ネットワーク（ＷＷＡＮ）のいずれかにおける第１の局と第２の局の間で無線端末をハンドオフする装置において、前記局は、両方ともＷＬＡＮまたはＷＷＡＮの一部であっても、一方の局がＷＬＡＮまたはＷＷＡＮの一方の一部であり他方の局がＷＬＡＮおよびＷＷＡＮの２つのうちの残りの一方の一部であってもよく、
前記端末が、
前記第１の局との接続の喪失に応答して、前記第２の局をスキャンする手段と、
前記第２の局から情報を取得する手段と、
前記第２の局が前記第１の局とは異なることを判定する手段と、
前記第２の局へアソシエーションメッセージを送信し、前記第２の局からアソシエーション成功メッセージを受信した後、ハンドオフを開始し、前記第１の局に関する情報を前記第２の局に提供する手段と
を備え、
前記第２の局が、
前記第１の局に対して、前記端末から受信した情報に応答してハンドオフを開始することを要求する手段
を備え、
前記第１の局が、
前記第２の局へトラフィックを再ルーティングして前記第１の局を解放する手段
を備え、
前記第２の局が、前記第１の局によって開始されたハンドオフ手続きに応答して、前記端末と前記第２の局の間のセッションを再確立する手段を有する
ことを特徴とする無線端末をハンドオフする装置。
【請求項８】
前記第１および第２の局がそれぞれ、アクセスポイントおよびアクセスルータを有する拡張サービスセット（ＥＳＳ）を備えたことを特徴とする請求項７に記載の装置。
【請求項９】
前記第１の局のＥＳＳが、ＥＳＳ識別情報（ＥＳＳ  ＩＤ）および基本サービスセット識別子（ＢＳＳ  ＩＤ）を前記端末に提供する手段を含むことを特徴とする請求項８に記載の装置。
【請求項１０】
前記第２の局から情報を取得する手段が、前記判定する手段で使用するために、前記第２の局のＥＳＳ  ＩＤおよびＢＳＳ  ＩＤを取得することを特徴とする請求項９に記載の装置。
【請求項１１】
前記端末が、インターネットプロトコル（ＩＰ）ネットワークに接続する手段をさらに備え、前記端末にＩＰアドレスが割り当てられることを特徴とする請求項９に記載の装置。
【請求項１２】
前記端末が、インターネットプロトコル（ＩＰ）ネットワークに接続する手段をさらに備え、前記端末が該端末のＩＰアドレスによって接続されることを特徴とする請求項９に記載の装置。
【請求項１３】
前記スキャンする手段が、前記第２の局からのビーコンにロックオンする手段を含むことを特徴とする請求項７に記載の装置。
【請求項１４】
無線ローカルエリアネットワーク（ＷＬＡＮ）および無線広域ネットワーク（ＷＷＡＮ）のいずれかにおける第１の局と第２の局の間で無線端末をハンドオフする装置において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
前記第１の局との接続によって得られたセッションの喪失に応答して、前記第２の局をスキャンする手段と、
前記第２の局から情報を取得する手段と、
前記第２の局が前記第１の局とは異なることを判定する手段と、
前記第２の局へ前記第１の局に関する情報を含むアソシエーションメッセージを送信する手段と
を備え、
前記第２の局が、
前記端末から受信した情報に応答して、前記第１の局と連絡をとって前記喪失した接続のＩＰアドレスを取得する手段
を備え、
前記端末が、前記喪失した接続のＩＰアドレスに対する要求に応答して該ＩＰアドレスを提供する手段を有し、
前記第２の局が、前記第１の局に対して、前記第１の局から前記第２の局へのハンドオフを開始することを要求する手段を有し、
前記第１の局が、前記第２の局へトラフィックを再ルーティングして前記第１の局を解放する手段を有し、
前記第２の局が、前記第１の局によって開始されたハンドオフ手続きに応答して、前記端末と前記第２の局の間のセッションを再確立する手段を有する
ことを特徴とする無線端末をハンドオフする装置。
【請求項１５】
無線ローカルエリアネットワーク（ＷＬＡＮ）および無線広域ネットワーク（ＷＷＡＮ）のいずれかにおける第１の局と第２の局の間で無線端末をハンドオフする装置において、前記局は、両方ともＷＬＡＮまたはＷＷＡＮの一部であっても、一方の局がＷＬＡＮまたはＷＷＡＮの一方の一部であり他方の局が該ＷＬＡＮおよびＷＷＡＮの残りの一方の一部であってもよく、
前記端末が、
第１の局との接続の喪失に応答して、第２の局をスキャンする手段と、
前記第２の局に関する情報を取得する手段と、
前記第２の局が前記第１の局とは異なることを判定する手段と、
前記第２の局へ前記第２の局に関する情報を含むアソシエーションメッセージを送信する手段と
を備え、
前記第２の局が、
前記第１の局から受信した情報に応答して、前記端末と連絡をとって前記喪失した接続のＩＰアドレスを取得する手段と、
前記第１の局に対して、ハンドオフを開始することを要求する手段と
を有し、
前記第１の局が、前記第２の局へトラフィックを再ルーティングして前記第１の局を解放する手段を有し、
前記第２の局が、前記第１の局によって開始されたハンドオフ手続きに応答して、前記端末と前記第２の局の間のセッションを再確立する手段を有する
ことを特徴とする無線端末をハンドオフする装置。
【発明の詳細な説明】
【技術分野】
【０００１】
本出願は、インター拡張サービスセット（Inter-Extended Service Set、Ｉ−ＥＳＳ）に関し、より詳細には、ＥＳＳ（拡張サービス）間でハンドオフ（ネットワークの切替）を実行する方法および装置に関する。
【背景技術】
【０００２】
複数の拡張サービスセット（ＥＳＳ）からなる無線ローカルエリアネットワーク（ＷＬＡＮ）や無線広域ネットワーク（ＷＷＡＮ）を、移動している無線端末（ＳＴＡ）が、その移動によりあるＥＳＳ内のアクセスポイント（ＡＰ）との連絡を失ったため、別のＥＳＳとの通信を確立したいという場合がある。それらのＥＳＳは、同一ネットワーク内、すなわち、ＷＬＡＮネットワークまたはＷＷＡＮネットワークのいずれかにある場合もあるし、異なるネットワーク内、すなわち、一方はＷＬＡＮネットワーク内にあり他方はＷＷＡＮネットワーク内にある場合もある。
【発明の開示】
【発明が解決しようとする課題】
【０００３】
したがって、元の接続を喪失したかどうかにかかわらず、このようなハンドオフを実行するための、簡単ではあるが、効果的な方法および装置を提供することが望ましい。
【課題を解決するための手段】
【０００４】
本発明は、ＳＴＡ（無線端末）と当初通信していたＥＳＳのアクセスルータ（ＡＲ）を利用して効果的なハンドオフを達成することを特徴とする。
【０００５】
本発明は、添付図面を考慮することで理解されるであろう。図中、同一要素は同一符号で表される。
【発明を実施するための最良の形態】
【０００６】
図１Ａおよび図１Ｂを参照すると、Ｉ−ＥＳＳおよびそれと通信可能な無線ＳＴＡのネットワークが示されている。任意個数の拡張サービスセット（ＥＳＳ）およびそれと通信可能な無線局（ＳＴＡ）が存在し得ると理解すべきであるが、簡単のため、図１Ａおよび図１Ｂでは、２つのそのような拡張サービスセットＥＳＳ−１およびＥＳＳ−２ならびに単一の無線ＳＴＡに限定して示してある。なお、本明細書に開示される方法および装置は、より多数のＥＳＳおよび無線ＳＴＡを有するネットワークでも同様に有効に使用可能であることはもちろんである。
【０００７】
最初に、ステップＳ１で、ＳＴＡ（無線端末）は、第１の拡張サービスセットＥＳＳ−１のアクセスポイント（ＡＰ−１）とアソシエーション（関連付け）を行う。ＥＳＳ−１はさらにアクセスルータＡＲ−１を有する。
【０００８】
ステップＳ１で、そのＳＴＡは、基本サービスセット識別子（ＢＳＳ  ＩＤ）とともにＥＳＳ−１の識別情報（ＥＳＳ−１  ＩＤ）を受信する。そして、ＳＴＡは、インターネットプロトコル（ＩＰ）ネットワークに接続され、ＩＰアドレス（ＩＰｖ４）のアドレスが割り当てられるか、あるいは、ＩＰバージョン６（ＩＰｖ６）アドレスを用いて接続される。
【０００９】
ステップＳ２で、そのＳＴＡは、そのＳＴＡの位置の変化、ノイズ、自然または人工の障壁、あるいはその他の何らかの理由により、ＡＰ−１との接続を失うと仮定する。それによって、ステップＳ３で、そのＳＴＡは、新たなＡＰをスキャンし、拡張サービスセットＥＳＳ−２に属するＡＰ−２を見つけ、ＥＳＳ−２からの受信ビーコンフレームにロックオンする。ステップＳ４で、ＳＴＡは、基本サービスセット識別子（ＢＳＳＩＤ−２）およびＥＳＳ−２のＩＤ（ＥＳＳ−２  ＩＤ）等のＡＰ−２に関する情報を取得する。
【００１０】
ステップＳ５で、ＳＴＡは、ＢＳＳＩＤ−２がＢＳＳＩＤ−１と同一でないと判定し、それにより再アソシエーションプロセス（再関連付け処理）を開始する。その開始をするとすぐに、ステップＳ６で、ＳＴＡは、ＡＰ−１  ＩＤ、ＡＰ−２  ＩＤおよびＥＳＳＩＤを含む再アソシエーションメッセージ（再関連付けメッセージ）を送信する。ステップＳ７で、ＥＳＳ−２のＡＰ−２がＳＴＡを認証・認可するが、ＥＳＳ−２内の配信システム（ＤＳ）はＡＰ−１の認識に失敗する。ステップＳ８で、ＡＰ−２がＳＴＡへ再アソシエーション成功メッセージを送信する。ステップＳ９で、ＳＴＡはＩＰネットワークへのアクセスを獲得し、旧ＩＰアドレスを提供することによって、モバイルＩＰｖ４（ＭＩＰｖ４）またはモバイルＩＰｖ６（ＭＩＰｖ６）のいずれかを実施するハンドオフ手続きを開始する。この際の旧ＩＰアドレスは気付アドレス（ＣｏＡ; care for address）とも呼ばれ、通常、モバイルユーザが外部ＩＰネットワーク内へローミングする際に用いられる。ステップＳ１０で、アクセスルータ−２（ＡＲ−２）がアクセスルータ−１（ＡＲ−１）と連絡をとり、ＭＩＰ（４または６）手続きを呼び出し、ステップＳ１１で、ＡＲ−１がトラフィックをＡＲ−２へ再ルーティング（経路切り替え）し、ＡＰ−１およびＥＳＳ−１内のＳＴＡの状態を解放する。ステップＳ１２で、ハンドオフ手続きが完了し、完了するとすぐに、セッショントラフィックがＡＰ−２経由でＳＴＡへリダイレクト（出力先変更）され、ステップＳ１３で、元のセッション（原セッション）が継続される。図１Ａ〜図１Ｂの実施形態は、ハンドオフ（ネットワークの切替）がＷＬＡＮネットワーク内のＥＳＳ−１からＥＳＳ−２へ行われる様子を示しているが、ＷＷＡＮからＷＷＡＮへ、ＷＬＡＮからＷＷＡＮへ、およびＷＷＡＮからＷＬＡＮへのハンドオフも、本発明のアルゴリズムを用いて、同様に効果的に実行可能であると理解すべきである。上記の組合せは、図２〜図４Ｂの実施形態にも当てはまる。
【００１１】
図２は、システムベースのハンドオフを示している。ここで、図１Ａ／図１Ｂのステップと異なるステップのみ、「プライム（ダッシュ記号）」付きで示している。図２を参照すると、ステップＳ１からステップＳ６までは図１Ａに示したステップＳ１からステップＳ６までと実質同一である。ステップＳ７′で、ＡＰ−２は、ＳＴＡを認証・認可することに加えて、ＥＳＳ−１内の基幹データベースに問合せを行うことによりＡＲ−１のＩＰアドレス（すなわちＣｏＡ）を取得し、この情報を受信した後、ＡＲ−２はＭＩＰハンドオフ手続きを呼び出すことによりセッションを転送し、その後、ステップＳ８で、再アソシエーション成功メッセージを送信する。なお、図２のステップＳ８の後に、図１Ｂに示したステップＳ９〜Ｓ１３あるいはそれと同様のステップが続くものと理解すべきである。これらのステップは、簡潔化のため図２では省略している。
【００１２】
図３Ａおよび図３Ｂは、変更されたシステムベースのハンドオフが提供され、ＥＳＳ−２がＳＴＡに問合せを行うという別のシナリオを示している。
【００１３】
図３Ａおよび図３Ｂを参照すると、図１Ａおよび図１Ｂに示したものと同様のステップは「プライム（´）なし」で示している。図２における「プライム（´）付き」のステップと同様のステップは「プライム（´）付き」で示し、図１Ａ、図１Ｂおよび図２に示したものとは異なるステップは「ダブルプライム（″）」を付けて示している。
【００１４】
図３Ａおよび図３Ｂを参照すると、ステップＳ１〜Ｓ６は例えば図１のステップＳ１〜Ｓ６と実質同一である。ステップＳ７″で、ＥＳＳ−２のＡＰ−２がＳＴＡを認証・認可し、ＳＴＡに問合せを行うことによりＡＲ−１のＩＰアドレス（ＣｏＡ）を取得し、ステップＳ８″で、ＡＲ−１のＩＰアドレスに関してＳＴＡに問合せを行う。ステップＳ９″で、ＳＴＡはこれに応答して、ＡＲ−１のＩＰアドレスを提供する。ステップＳ１０で、ＡＲ−２がＡＲ−１と連絡をとりＭＩＰ（４または６）手続きを呼び出す。ステップＳ１０に続いてステップＳ１１およびＳ１２を実行した後、ステップＳ１２′で、ＡＰ−２が再アソシエーション成功メッセージをＳＴＡに送信し、その後、ステップＳ１３″でセッショントラフィックを復元する。
【００１５】
図４Ａおよび図４Ｂは、元の接続が失われない場合の端末ベースのハンドオフシナリオを示している。
【００１６】
ステップＳ１〜Ｓ９は、ステップＳ２が削除（省略）されることを除いては、図１Ａ／図１ＢのステップＳ１〜Ｓ９と実質同一である。ただし、ＥＳＳ−１を通じて確立されるセッションは中断されていないが、ＳＴＡは（何らかの理由で）ハンドオフを開始しようとしていると仮定している。ステップＳ９で、ＳＴＡはＡＰ−１と連絡をとり、ハンドオフを開始する。
【００１７】
ステップＳ９の後、ステップＳ１０で、ＡＲ−１がＡＲ−２と連絡をとりＭＩＰ（４または６）手続きを呼び出す。残りのステップＳ１１〜Ｓ１３は図１Ａ／図１Ｂと同一である。しかし、ＳＴＡは依然としてＥＳＳ−１に接続されているので、ステップＳ１０′ではＡＲ−１がハンドオフを開始する。
【００１８】
セッションが失われない場合に、局により開始されるハンドオフは、図３Ａ／図３Ｂのものと同様に実行される。より詳細には、図３Ａ／図３Ｂで、接続が失われない場合にはステップＳ２が削除（省略）され、ステップＳ１０は、ＡＲ−１がＡＲ−２と連絡をとりＭＩＰ（４または６）手続きを呼び出すように変更される。残りのステップＳ１１〜Ｓ１３は不変のままである。
【図面の簡単な説明】
【００１９】
【図１Ａ】図１Ｂとともに、端末ベースの手続きを使用するインター拡張サービスセット（Ｉ−ＥＳＳ）におけるハンドオフを表す概略図である。
【図１Ｂ】図１Ａとともに、端末ベースの手続きを使用するＩ−ＥＳＳにおけるハンドオフを表す概略図である。
【図２】システムベースのハンドオフ手続きを使用するＩ−ＥＳＳにおけるハンドオフを表す概略図である。
【図３Ａ】図３Ｂとともに、Ｉ−ＥＳＳ内のもう１つのシステムベースのハンドオフ手続きを示す図である。
【図３Ｂ】図３Ａとともに、Ｉ−ＥＳＳ内のもう１つのシステムベースのハンドオフ手続きを示す図である。
【図４Ａ】図４Ｂとともに、端末ベースであり、ＥＳＳ−１とのＳＴＡの接続が失われていないＩ−ＥＳＳにおけるハンドオフを表す概略図である。
【図４Ｂ】図４Ａとともに、端末ベースであり、ＥＳＳ−１とのＳＴＡの接続が失われていないＩ−ＥＳＳにおけるハンドオフを表す概略図である。
【図１Ａ】
2006521058.tif 000003
【図１Ｂ】
2006521058.tif 000004
【図２】
2006521058.tif 000005
【図３Ａ】
2006521058.tif 000006
【図３Ｂ】
2006521058.tif 000007
【図４Ａ】
2006521058.tif 000008
【図４Ｂ】
2006521058.tif 000009
【国際調査報告】
2006521058.tif 000010